(57)【要約】【課題】  楽器の調律の必要性について、容易にかつ適切に判定することができる楽器の簡易調律判定システムを提供する。【解決手段】  楽器２の音を取り込むマイクロホン６を有するとともに、取り込まれた楽器２の音を送信する通信手段７を有する端末機器３と、端末機器３から送信された楽器２の音に基づいて楽器２の調律の良否を判定する調律判定装置５と、を備え、調律判定装置５は、楽器２の音を受信するための受信手段１５と、受信した楽器２の音のデータに基づいて楽器２の調律の良否を判定する判定手段１１と、判定手段１１による判定結果を表す情報を端末機器３に送信する送信手段１５と、を有する。【選択図】    図１
2010085680.tif 000002
【特許請求の範囲】
【請求項１】
楽器の調律の良否を簡易に判定するための楽器の簡易調律判定システムであって、
前記楽器の音を取り込むマイクロホンを有するとともに、取り込まれた前記楽器の音を送信する通信手段を有する端末機器と、
当該端末機器から送信された前記楽器の音に基づいて当該楽器の調律の良否を判定する調律判定装置と、を備え、
当該調律判定装置は、  
前記楽器の音を受信するための受信手段と、
受信した前記楽器の音のデータに基づいて前記楽器の調律の良否を判定する判定手段と、
当該判定手段による判定結果を表す情報を前記端末機器に送信する送信手段と、を有することを特徴とする楽器の簡易調律判定システム。
【請求項２】
前記調律判定装置は、受信した前記楽器の音のデータを解析することによって、前記音の周波数を求める周波数解析手段をさらに有し、
前記判定手段は、前記周波数解析手段によって求められた、互いにオクターブ離れた２つの音の周波数の比率に基づいて、オクターブ精度を判定することを特徴とする請求項１に記載の楽器の簡易調律判定システム。
【請求項３】
前記調律判定装置は、受信した前記楽器の音のデータを解析することによって、前記音の周波数を求める周波数解析手段をさらに有し、
前記判定手段は、前記周波数解析手段によって求められた、１つの音の周波数の数に基づいて、ユニゾン精度を判定することを特徴とする請求項１に記載の楽器の簡易調律判定システム。
【請求項４】
前記端末機器は携帯電話であることを特徴とする請求項１ないし３のいずれかに記載の楽器の簡易調律判定システム。
【発明の詳細な説明】
【技術分野】
【０００１】
本発明は、楽器の調律の良否を簡易に判定するための楽器の簡易調律判定システムに関する。
【背景技術】
【０００２】
楽器を調律する際に利用される従来の調律器として、例えば特許文献１に開示されたものが知られている。この調律器は、腕時計に組み込まれており、楽器の音を取り込むマイクロホンと、取り込まれた楽器の音の周波数を求める周波数カウンタと、楽器の基準音の周波数を記憶するＲＯＭと、周波数カウンタで求めた音の周波数と基準音の周波数との差分を算出する比較器と、算出された周波数の差分を振動の強弱に変換する圧電素子などを備えている。したがって、腕時計の装着者は、この振動を感じ取ることによって、楽器の音がずれていることを知ることができる。
【０００３】
しかし、特に楽器がピアノの場合には、その調律に専門の技術を必要とするので、自分で調律を行うことができず、専門家に調律を依頼することになる。これに対し、上述した従来の調律器では、楽器の音がずれているという事実を知ることはできても、そのずれの度合を知ることはできないため、調律を依頼する必要性について適切に判断できない。
【０００４】
本発明は、このような課題を解決するためになされたものであり、楽器の調律の必要性について、容易にかつ適切に判定することができる楽器の簡易調律判定システムを提供することを目的とする。
【０００５】
【特許文献１】特開２００７ー１０１８０３号公報
【発明の開示】
【課題を解決するための手段】
【０００６】
この目的を達成するために、請求項１に係る発明は、楽器の調律の良否を簡易に判定するための楽器の簡易調律判定システムであって、楽器の音を取り込むマイクロホンを有するとともに、取り込まれた楽器の音を送信する通信手段を有する端末機器と、端末機器から送信された楽器の音に基づいて楽器の調律の良否を判定する調律判定装置と、を備え、調律判定装置は、楽器の音を受信するための受信手段と、受信した楽器の音のデータに基づいて楽器の調律の良否を判定する判定手段と、判定手段による判定結果を表す情報を端末機器に送信する送信手段と、を有することを特徴とする。
【０００７】
この構成によれば、楽器の音がマイクロホンから端末機器に取り込まれると、取り込まれた楽器の音は、調律判定装置に送信される。調律判定装置は、その楽器の音を受信し、受信した楽器の音のデータに基づいて調律の良否を判定し、判定結果を表す情報を端末機器に送信する。これにより、この端末機器に送信された判定結果を表す情報によって、楽器の調律の必要性を容易にかつ適切に判定することができる。
【０００８】
請求項２に係る発明は、請求項１に記載の楽器の簡易調律判定システムにおいて、調律判定装置は、受信した楽器の音のデータを解析することによって、音の周波数を求める周波数解析手段をさらに有し、判定手段は、周波数解析手段によって求められた、互いにオクターブ離れた２つの音の周波数の比率に基づいて、オクターブ精度を判定することを特徴とする。
【０００９】
この構成によれば、受信した楽器の音のデータを解析することによって、音の周波数を求めるとともに、求められた互いにオクターブ離れた２つの音の周波数の比率に基づいて、オクターブ精度を判定する。したがって、判定されたオクターブ精度に基づいて、楽器の調律の良否を容易かつ適切に判定することができる。
【００１０】
請求項３に係る発明は、請求項１に記載の楽器の簡易調律判定システムにおいて、調律判定装置は、受信した楽器の音のデータを解析することによって、音の周波数を求める周波数解析手段をさらに有し、判定手段は、周波数解析手段によって求められた、１つの音の周波数の数に基づいて、ユニゾン精度を判定することを特徴とする。
【００１１】
この構成によれば、受信した楽器の音のデータを解析することによって、音の周波数を求めるとともに、求められた１つの音の周波数の数に基づいて、ユニゾン精度が判定される。ここで、ユニゾン精度とは、１つの音に対して複数の弦が設けられている場合における、弦間の音の高さの一致度合をいう。このユニゾン精度がずれている場合には、音の唸りが生じる。したがって、判定されたユニゾン精度に基づいて、楽器の調律の良否を容易かつ適切に判定することができる。
【００１２】
請求項４に係る発明は、請求項１ないし３のいずれかに記載の楽器の簡易調律判定システムにおいて、端末機器は携帯電話であることを特徴とする。
【００１３】
この構成によれば、携帯電話を利用し、楽器の音の取込みおよび送信と判定結果の受信を行えるので、簡易調律判定システムの利用性を高めることができる。
【発明を実施するための最良の形態】
【００１４】
以下、図面を参照しながら、本発明の好ましい実施形態を詳細に説明する。本発明のピアノ２の簡易調律判定システム１は、ピアノ２の所有者が、ピアノ２の調律を依頼する必要性についての判定を事業者から得られるようにするためのものである。
【００１５】
図１に示すように、この簡易調律判定システム１は、ピアノ２の音を取り込む端末機器としての携帯電話３と、通信回線４を介して携帯電話３に接続される事業者側の調律判定装置５とを備えている。
【００１６】
携帯電話３は、ピアノ２の音を取り込むためのマイクロホン６と、ピアノ２の音を送信するとともに、調律判定装置５から判定結果などの情報を受信するための通信機７と、受信した情報などを表示する表示画面８などを有している。
【００１７】
通信回線４は、音声および画像データが送受信可能なものであればよく、例えば公衆電話回線やインターネットを含む。また、公衆電話回線は、アナログ回線の他、ＩＳＤＮ回線やＩＰ電話用の回線なども含む。
【００１８】
図２に示すように、調律判定装置５は、ＲＯＭ９、ＲＡＭ１０、ＣＰＵ１１、周波数解析部１２および入出力インタフェース（Ｉ／Ｆ）１３などを備え、これらはバス１４を介して接続されている。ＲＯＭ９は、ＣＰＵ１１で実行されるプログラムの他、基準音データ、所有者データおよびメッセージデータなどを記憶している。
【００１９】
基準音データは、ピアノの各鍵に対応する音名および音高を表す音データと、調律された基準音（例えば、Ｃ１〜Ｃ８）の周波数（例えば、ｆｃ１＝３２.７Ｈｚ、ｆｃ２＝６５.４Ｈｚ・・・ｆｃ８＝４１８６.０Ｈｚ）を表す周波数データで構成されている。
【００２０】
所有者データは、ピアノ２の購入者を特定するためのＩＤ番号や、ピアノ２の製造年月日およびシリアル番号などの情報データで構成されている。メッセージデータは、後述するように、ピアノ２の調律の良否が判定された際に、調律の必要性の有無を所有者に伝えるためのメッセージ情報（例えば「調律が必要です」）で構成されている。
【００２１】
入出力インタフェース（Ｉ／Ｆ）１３には、モデムなどの通信デバイス１５、ディスプレイなどの表示装置１６およびキーボードやマウスなどの入力装置１７が接続されている。通信デバイス１５は、携帯電話３に取り込まれた複数のピアノ２の音（以下「入力音」という）を受信する。
【００２２】
ＲＡＭ１０は、ＣＰＵ１１で得られた演算結果などを一時的に記憶するとともに、ＣＰＵ１１の作業領域としても使用される。
【００２３】
周波数解析部１２は、ＣＰＵ１１による制御の下、入力音を表す信号をフーリエ解析することにより、音名ごとに設定された複数の周波数に対応するスペクトルを検出するとともに、検出したスペクトルのピークから、入力音の１つまたは２つ以上の周波数を求める。
【００２４】
ＣＰＵ１１は、周波数解析部１２によって求められた周波数を用い、ＲＯＭ９に記憶されたプログラムに従って、オクターブ精度の判定処理およびユニゾン精度の判定処理を実行する。ここで、オクターブ精度とは、互いにオクターブ離れた２つの入力音の間の音程の正しさの度合をいう。また、ユニゾン精度とは、ピアノの中高音域において、１つの音に対して複数の弦が設けられている場合における、これらの弦が発生する音の高さの一致度合をいう。なお、本実施形態では、ＣＰＵ１１が判定手段に相当する。
【００２５】
図３は、上述したオクターブ精度の判定処理を示すフローチャートである。この判定処理に先立ち、調律判定装置５から所有者の携帯電話３に、例えばＣ系列の音（Ｃ１〜Ｃ８）を順次、発生させるように指示が送られる。それに応じて発生させたピアノ２の音は、携帯電話３および通信回線４を介して、調律判定装置５に送信される。送信された入力音は、周波数解析部１２によって解析され、それにより入力音の周波数が求められる。
【００２６】
図３の判定処理では、まず、ステップ１（「Ｓ１」と図示。以下同じ）において、周波数解析部１２によって求められた入力音の周波数を取得する。次に、取得した入力音の周波数が基準音の周波数とほぼ等しいか否かを判別する（ステップ２）。この判別結果がＮＯで、入力音の周波数が基準音の周波数と異なるときには、事業者の指示に従ったＣ系列の音が送信されていないとして、正しい音の再入力を要求する指示を携帯電話３に送信する（ステップ３）。
【００２７】
ステップ２の判別結果がＹＥＳのときには、１オクターブ離れた２つのＣ音の間の周波数の比率ｃｆ２／ｃｆ１、ｃｆ３／ｃｆ２、・・・ｃｆ８／ｃｆ７を算出する（ステップ４）。次に、算出したすべての周波数比率がほぼ２に等しいか否かを判別する（ステップ５）。この判別結果がＮＯのときには、オクターブ精度が得られていないため、調律が必要であると判定し（ステップ６）、その判定結果を表すメッセージを携帯電話３に送信する（ステップ８）。一方、ステップ５の判定結果がＹＥＳのときには、オクターブ精度が得られているため、調律が不要であると判定し（ステップ７）、その判定結果を表すメッセージを送信する（ステップ８）。
【００２８】
図４は、ＣＰＵ１１によって実行される、ユニゾン精度の判定処理を示すフローチャートである。この処理に先立ち、調律判定装置５から携帯電話３に、１つの音に対して複数の弦が設けられている中高音域の代表的な音、例えばＣ音およびＧ音を順次、発生させるように指示が送られる。それに応じて発生させたピアノ２の音は、周波数解析部１２によって解析され、それにより入力音の周波数が求められる。
【００２９】
図４の判定処理では、まず、ステップ１１において、周波数解析部１２によって求められた入力音の周波数を取得する。次に、すべての入力音について、取得した周波数が１つか否かを判別する（ステップ１２）。この判別結果がＹＥＳのときには、すべての入力音についてユニゾン精度が得られているため、調律が不要であると判定し（ステップ１７）、その判定結果を表すメッセージを送信する（ステップ１６）。前記ステップ１２の判定結果がＮＯで、少なくとも１つの入力音について複数の周波数が得られているときには、その入力音の複数の周波数間の差分Δｆを算出する（ステップ１３）。
【００３０】
次に、算出された周波数の差分Δｆの絶対値｜Δｆ｜が、所定の判定値よりも小さいか否かを判定する（ステップ１４）。この判定結果がＹＥＳのときには、ユニゾン精度のずれが生じているものの、許容範囲であるとして、調律が不要であると判定し（ステップ１７）、その判定結果を表すメッセージを送信する（ステップ１６）。一方、判定結果がＮＯのときには、ユニゾン精度のずれが許容範囲を超えているとして、調律が必要であると判定し（ステップ１５）、その判定結果を表すメッセージを送信する（ステップ１６）。
【００３１】
以上のように、本実施形態によれば、調律判定装置５は、ピアノ２の音を受信し、この受信した音（入力音）を周波数解析部１２で解析することによって、周波数を取得する。また、取得した周波数に基づいて、１オクターブ離れた２つの音の間の周波数比率を求め、その周波数比率に基づいてオクターブ精度を判定し、その判定結果を携帯電話３に送信する。さらに、１つの入力音について複数の周波数が求められているときには、ユニゾン精度がずれていると判定し、その判定結果を携帯電話３に送信する。
【００３２】
したがって、ピアノ２の所有者は、送信されたオクターブ精度およびユニゾン精度の判定結果によって、ピアノ２の調律の必要性を容易かつ適切に知ることができる。
【００３３】
また、事業者は、上記のようにして得られたピアノ２の調律の良否の判定結果を、所有者の識別データやピアノ２のシリアル番号ごとに記憶させることによって、顧客のピアノ２に関する情報を蓄積し、その管理に役立てることもできる。
【００３４】
なお、本発明は、説明した実施形態に限定されることなく、種々の態様で実施できる。例えば、実施形態では、楽器としてピアノ２を示したが、本発明は、ピアノ２に限定されることなく、調律を必要とするチェンバロなどの楽器に適用してもよい。また、調律の良否を表すパラメータとして、オクターブ精度やユニゾン精度を用いているが、他のパラメータを用いてもよく、例えば入力音の周波数を基準音の周波数と直接、比較することによって、楽器の調律の良否を判定してもよい。この場合の周波数は、平均律だけでなく、古典調律でもよく、あるいは、ピアノに特有な調律カーブ（例えば、平均律を基本にして低音は低めに高音は高めに調律）に基づくものでもよい。
【００３５】
さらに、オクターブ精度の判定のときにＣ系列の音を発生させ、ユニゾン精度の判定のときにＣ音およびＧ音を発生させているが、これらの代表的な音に限らず、すべての音を発生させることによって、楽器の調律の良否を判定してもよい。また、オクターブ精度やユニゾン精度の判定を、入力音をフーリエ解析することによって求めた周波数に基づいて行っているが、他の適当な判定手法を用いてもよい。
【００３６】
さらに、実施形態では、端末機器として、携帯電話３を用いているが、ピアノ２の音の取込みおよび送信や調律の判定結果の受信を行えるものであれば、他の端末機器、例えばパソコンや固定電話などを用いてもよい。その他、本発明の趣旨の範囲内において、細部の構成を変更することが可能である。
【図面の簡単な説明】
【００３７】
【図１】本発明の一実施形態によるピアノの簡易調律判定システムの構成の概要を示す図である。
【図２】調律判定装置５の構成を示すブロック図である。
【図３】オクターブ精度の判定処理を示すフローチャートである。
【図４】ユニゾン精度の判定処理を示すフローチャートである。
【符号の説明】
【００３８】
１  簡易調律判定システム
２  ピアノ（楽器）
３  携帯電話（端末機器）
５  調律判定装置
６  マイクロホン
７  通信機（通信手段）
１１  ＣＰＵ（判定手段）
１２  周波数解析部（周波数解析手段）
１５  通信デバイス（受信手段および送信手段）
【図１】
2010085680.tif 000003
【図２】
2010085680.tif 000004
【図３】
2010085680.tif 000005
【図４】
2010085680.tif 000006